(57)【要約】  電子装置の製造方法は、金型凹部１１１を有する裏面側金型１１０に、裏面側に金属板１１を有する基板１０を載置する工程と、前記基板１０を覆うようにしておもて面側金型１２０を位置づける工程と、前記基板１０を前記裏面側金型１１０に押圧しながら、前記おもて面金型１００と前記裏面側金型１１０との間に樹脂を流し込む工程と、を有している。前記樹脂を流し込む工程において、前記金属板１１の周縁部が前記金型凹部１１１の縁に当接した状態で、前記基板１０が前記裏面側金型１１０に押圧される。
2018122894.tif 000002
【特許請求の範囲】
【請求項１】
金型凹部を有する裏面側金型に、裏面側に金属板を有する基板を載置する工程と、
前記基板を覆うようにして、前記裏面側金型におもて面側金型を載置する工程と、
前記基板を前記裏面側金型に押圧しながら、前記おもて面金型と前記裏面側金型との間に樹脂を流し込む工程と、を備え、
前記樹脂を流し込む工程において、前記金属板の周縁部が前記金型凹部の縁に当接した状態で、前記基板が前記裏面側金型に押圧されることを特徴とする電子装置の製造方法。
【請求項２】
前記金属板は、金属本体部と、前記金属本体部の周縁に設けられ、前記金属本体部と比較して肉厚が薄くなった金属減厚部とを有し、
前記樹脂を流し込む工程において、前記金属減厚部は前記金型凹部の外方に位置し、前記本体部が前記金型凹部の縁に当接した状態で、前記金属板が前記裏面側金型に押圧されることを特徴とする請求項１に記載の電子装置の製造方法。
【請求項３】
締結部材を挿入するための挿入部が前記基板のおもて面に載置され、
前記挿入部の頂部に弾性体が位置づけられ、
前記弾性体を前記挿入部の頂部に押し付けることで、前記金属板が前記裏面側金型に対して押し付けられることを特徴とする請求項１に記載の電子装置の製造方法。
【請求項４】
前記裏面側金型に載置される前記基板には電子素子が設けられ、前記電子素子には端子が接続されていることを特徴とする請求項１に記載の電子装置の製造方法。
【請求項５】
裏面側に金属板を有する基板と、
前記基板に設けられた電子素子と、
前記電子素子を封入する樹脂材料からなる封止部と、
を備え、
前記金属板の裏面は前記封止部から外部に露出し、
前記金属板の裏面の周縁部には押圧痕が入っていることを特徴とする電子装置。
【請求項６】
前記封止部の側面全体、おもて面全体及び裏面側における前記金属板の周縁全体が外部に露出していることを特徴とする請求項５に記載の電子装置。
【発明の詳細な説明】
【技術分野】
【０００１】
本発明は、電子装置の製造方法及び電子装置に関する。
【背景技術】
【０００２】
従来から、半導体装置等の電子装置を製造する際には、樹脂を単純に流し込むポッティング封止と、圧力をかけて樹脂を流し込むトランスファーモールドが利用されている。この点、ポッティング封止は半導体チップ等の電子素子や当該電子素子に接続されたワイヤへの負荷が少なく、複雑な形状や実装部品が多い成型品に利用されることが多い。【０００３】
また、半導体装置の封止部の裏面に放熱板を設けることも行われている（例えば、特開２０１５−１１５３８２号公報参照）。この放熱板を封止部の裏面に埋め込むことが考えられているが、このように放熱板を封止部の裏面に埋め込む場合に、ポッティング封止を利用すると、封止部に利用される樹脂が放熱板の裏面に回り込んでしまう可能性がある。
【発明の概要】
【発明が解決しようとする課題】
【０００４】
このような点に鑑み、本発明は、基板の裏面側に設けられた金属板の裏面側に樹脂が回り込んでしまう可能性を低減できる電子装置の製造方法及び電子装置を提供する。
【課題を解決するための手段】
【０００５】
本発明の一態様による電子装置の製造方法は、
金型凹部を有する裏面側金型に、裏面側に金属板を有する基板を載置する工程と、
前記基板を覆うようにして、前記裏面側金型におもて面側金型を載置する工程と、
前記基板を前記裏面側金型に押圧しながら、前記おもて面金型と前記裏面側金型との間に樹脂を流し込む工程と、を備え、
前記樹脂を流し込む工程において、前記金属板の周縁部が前記金型凹部の縁に当接した状態で、前記基板が前記裏面側金型に押圧されてもよい。【０００６】
本発明の一態様による電子装置の製造方法において、
前記金属板は、金属本体部と、前記金属本体部の周縁に設けられ、前記金属本体部と比較して肉厚が薄くなった金属減厚部とを有し、
前記樹脂を流し込む工程において、前記金属減厚部は前記金型凹部の外方に位置し、前記本体部が前記金型凹部の縁に当接した状態で、前記金属板が前記裏面側金型に押圧されてもよい。【０００７】
本発明の一態様による電子装置の製造方法において、
締結部材を挿入するための挿入部が前記基板のおもて面に載置され、
前記挿入部の頂部に弾性体が位置づけられ、
前記弾性体を前記挿入部の頂部に押し付けることで、前記金属板が前記裏面側金型に対して押し付けられてもよい。【０００８】
本発明の一態様による電子装置の製造方法において、
前記裏面側金型に載置される前記基板には電子素子が設けられ、前記電子素子には端子が接続されてもよい。【０００９】
本発明の一態様による電子装置は、
裏面側に金属板を有する基板と、
前記基板に設けられた電子素子と、
前記電子素子を封入する樹脂材料からなる封止部と、
を備え、
前記金属板の裏面は前記封止部から外部に露出し、
前記金属板の裏面の周縁部には押圧痕が入っていてもよい。【００１０】
前記封止部の側面全体、おもて面全体及び裏面側における前記金属板の周縁全体が外部に露出していてもよい。
【発明の効果】
【００１１】
本発明では、樹脂を流し込む工程において、金属板の周縁部が金型凹部の縁に当接した状態で金属板が裏面側金型に押圧される。このため、樹脂が金属板の裏面に回り込んでしまう可能性を低減できる。
【図面の簡単な説明】
【００１２】
【図１】図１は、本発明の実施の形態による電子装置の平面図である。
【図２】図２は、図１のII−II直線で切断した、本発明の実施の形態による電子装置の側方断面図である。
【図３】図３は、本発明の実施の形態による電子装置が製造される際の態様を示した側方断面図である。
【図４】図４は、本発明の実施の形態による電子装置と締結部材を拡大して示した側方断面図である。
【図５】図５は、本発明の実施の形態で用いられる金属板の周縁部及び金型凹部を拡大した側方図断面図である。
【発明を実施するための形態】
【００１３】
実施の形態
《構成》
図２に示すように、本実施の形態の電子装置は、基板１０と、基板１０に後述する導体層１３を介して配置された半導体素子等の電子素子８０と、電子素子８０を封入する樹脂材料からなる封止部２０と、を有してもよい。図１に示すように、封止部２０はネジ等の締結部材９０を挿入するための挿入部２２を有してもよい。挿入部２２は周縁領域よりも凹んだ封止凹部２５に設けられてもよい。挿入部２２は、金属製の材料からなり、その中心に締結部材９０が挿入される挿入穴２２ａが設けられていてもよい。この挿入部２２には、締結部材９０と嵌合するネジが切られていてもよい。
【００１４】
本実施の形態では、電子装置の一例としては半導体装置を挙げることができ、電子素子８０の一例として半導体素子を挙げることができる。しかしながら、これに限られるものではなく、必ずしも「半導体」を用いる必要はない。
【００１５】
図２に示すように、基板１０は、金属板１１と、金属板１１に設けられた絶縁層１２と、絶縁層１２に設けられた導体層１３とを有してもよい。また、導体層１３が絶縁層１２上でパターニングされることで回路が形成されてもよい。金属板１１は放熱板として機能してもよい。金属板１１及び導体層１３は例えば銅からなっていてもよい。
【００１６】
図４に示すように、挿入部２２の深さＤは締結部材９０の長さＨに対応した長さになっていてもよい。締結部材９０の長さＨに対応するとは、挿入部２２の深さＤは締結部材９０の長さＨよりも所定の長さだけ短くなっており（例えば、０．７×Ｈ≦Ｄ≦０．９Ｈとなっており）、締結部材９０を挿入部２２に挿入して電子装置を所定位置に固定する際に、何ら支障のない長さになっていることを意味している。
【００１７】
封止部２０の少なくとも側面及び封止凹部２５が外部に露出していてもよい。また、封止部２０の側面全体及びおもて面全体が外部に露出していてもよい。外部に露出するというのは、電子装置を取り囲む枠体がないことを意味しており、いわゆるケースレスであることを意味している。本実施の形態の図面に示す態様では、ケースレスの態様となっている。
【００１８】
図２に示すように、電子素子８０に接続され、封止部２０のおもて面から外部に突出している端子７０が設けられてもよい。また、この端子７０は曲げられることなく直線状になってもよい。このような端子７０が設けられる場合には、圧力がかかり難いポッティングによって封止をすることが一般的である。
【００１９】
図３に示すように、金型１００は、裏面側金型１１０と、この裏面側金型１１０のおもて面に載置されるおもて面側金型１２０とを有してもよい。裏面側金型１１０とおもて面側金型１２０とは、締結部材１６０によって連結されてもよい。おもて面側金型１２０は電子装置の封止凹部２５に対応する凸部１２５を有してもよい。
【００２０】
おもて面側金型１２０は、挿入部２２の頂部と当接する位置に設けられたパッキン等の弾性体１４０を有してもよい。おもて面側金型１２０を裏面側金型１１０に対して締結部材１６０で締め付ける際に、弾性体１４０が挿入部２２の頂部に対して押し付けられ、その結果、金属板１１が裏面側金型１１０に対して押し付けられることになる。
【００２１】
おもて面側金型１２０には、樹脂をポッティングするための開口部１５０が設けられてもよい。金型１００内に基板１０、電子素子８０、挿入部２２、端子７０等が載置された後で、おもて面側金型１２０の開口部１５０から樹脂がポッティングされることで、樹脂封止が行われることになる。
【００２２】
裏面側金型１１０は金属板１１の裏面に対向する金型凹部１１１を有してもよい。このような裏面側金型１１０を採用する場合、基板１０の金属板１１の周縁部が金型凹部１１１の縁に当接するようになってもよい。金属板１１の周縁部とは、金属板１１の最外周縁から、金属板１１の短手方向の長さ又は長手方向の長さの１／８以内の距離にある部分を意味している。つまり、短手方向における周縁部は短手方向の長さの１／８以内の距離にある部分を意味し、長手方向における周縁部は長手方向の長さの１／８以内の距離にある部分を意味している。また、金属板１１の短手方向の長さが所定の長さ（例えば２４ｃｍ）以上の大きさを有している場合には、金属板１１の最外周縁から所定の距離（例えば３ｃｍ以内の距離）にある部分が周縁部であってもよい。一例としては、金属板１１の最外周縁から０．５ｍｍ以上金属板１１の厚み以下の領域（より具体的には金属板１１の最外周縁から１ｍｍの位置）が、金型凹部１１１の縁に当接するようになってもよい。
【００２３】
図５に示すように、基板１０の金属板１１は、金属本体部１１ａと、金属本体部１１ａの周縁に設けられ、金属本体部１１ａと比較して肉厚が薄くなった金属減厚部１１ｂとを有してもよい。このような形状の金属板１１を採用する場合には、金型１００内に樹脂を流入させる際には、金属減厚部１１ｂは金型凹部１１１の周縁外方に位置づけられてもよい。金属本体部１１ａは断面が略矩形状となってもよい。金属減厚部１１ｂは周縁外方に向かうにつれて肉厚が徐々に薄くなるようになっていてもよい。金属減厚部１１ｂはおもて面側が徐々に薄くなってもよいし、裏面側が徐々に薄くなってもよいし（図５参照）、おもて面側と裏面側の両方が徐々に薄くなってもよい。
【００２４】
裏面側金型１１０の金型凹部１１１の縁に基板１０の金属板１１の周縁部が強い力で押し付けられる場合には、金属板１１の裏面の周縁部に押圧痕が入ることになる。つまり、本実施の形態で示されているような金型凹部１１１を採用し、金型凹部１１１の縁に金属板１１の周縁部を強い力で押し付けた場合には、金属板１１の裏面の周縁部に押圧痕が入ることになる。他方、本実施の形態のような金型凹部１１１を有さない金型１００を用いた場合、金属板１１の裏面の周縁部に押圧痕等が入ることは考え難い。したがって、このような押圧痕の入った金属板１１を有する電子装置は、金型凹部１１１を採用している可能性が極めて高い。
【００２５】
また、封止凹部２５を適宜設ける態様を採用した場合には、設計の自由度を高めることができる。一例として、封止凹部２５に挿入部２２を設ける態様を採用し、挿入部２２の深さＤを締結部材９０の長さＨに対応した長さにした場合には（図４参照）、封止凹部２５の厚みを、締結部材９０の長さ及び挿入部２２の長さに対応した厚みに容易に調整できる。このため、種類や形態の異なる電子装置であっても、封止凹部２５の厚みを略同じ値、例えば平均値Ｄ０の±５％以内の値：Ｄ０×（１±０．０５）とすることで、同じ締結部材９０を利用することができるようになる。この結果、部品の統一化を図ることができ、また製造コストを下げたり部品混入のリスクを未然に防止したりすることもできるようになる。
【００２６】
《製造方法》
次に、上述した構成からなる本実施の形態による電子装置を製造する工程（電子装置の製造方法）について説明する。重複する記載となるので明記はしないが、「構成」で記載したあらゆる態様を適用することができる。
【００２７】
おもて面側の導体層１３に電子素子８０及び端子７０が配置され、裏面側に金属板１１を有する基板１０を、金型凹部１１１を有する裏面側金型１１０に載置する（基板載置工程）。この際、金型凹部１１１の中心と金属板１１の中心とが合わされて、金属板１１の周縁部が金型凹部１１１の縁に当接するようになっていてもよい。
【００２８】
次に、締結部材９０を挿入するための挿入部２２を載置する（挿入部載置工程）。なお、挿入部２２を載置する工程を、電子素子８０及び／又は端子７０を導体層１３に載置する工程と同時又はそれよりも前に行ってもよい。
【００２９】
次に、基板１０の全体を覆うようにして裏面側金型１１０におもて面側金型１２０を載置し、締結部材１６０によって裏面側金型１１０におもて面側金型１２０を固定する。このように締結部材１６０によって裏面側金型１１０におもて面側金型１２０を固定することで、基板１０が裏面側金型１１０に押圧されることになる。この際、締結部材１６０による締め付けの力を調整することで、基板１０の裏面側金型１１０への押付圧力の大きさを調整するようにしてもよい。
【００３０】
次に、おもて面金型１００と裏面側金型１１０との間に、例えばポッティングによって樹脂を流し込む（樹脂流入工程）。この際、基板１０の金属板１１の周縁部が金型凹部１１１の縁に当接した状態で金属板１１が裏面側金型１１０に押圧されている。このため、金型凹部１１１の縁で金属板１１に強い圧力を与えることができ、樹脂が金属板１１の裏面に回り込んでしまう可能性を低減できる。なお、ポッティングによって樹脂を流し込むのに先立ち、予熱部（予熱プレート）によって８５℃程度に金型１００が暖められ、樹脂を流し込む間は７５℃程度に設定された予熱部（予熱プレート）によって金型１００が暖められた状態になってもよい。このような予熱を行うことで、樹脂が封止凹部２５の外周縁に回り込むことを促進することができる点で有益である。
【００３１】
おもて面金型１００が弾性体１４０を有している場合には、樹脂流入工程において、締結部材９０を挿入するための挿入部２２が基板１０のおもて面に載置され、挿入部２２の頂部におもて面側金型１２０の弾性体１４０が位置づけられる。そして、おもて面側金型１２０の凸部１２５の底面で挿入部２２の頂部を押圧することで、金属板１１の周縁部が金型凹部１１１の縁に当接した状態で基板１０が裏面側金型１１０に押圧され、その状態で封止部２０の材料となる樹脂を金型１００内に流し込まれることになる。このような弾性体１４０を利用することで、弾性体１４０による弾性力（反発力）も利用して基板１０を金型凹部１１１の縁に押し付けることができる。この結果、樹脂が金属板１１の裏面に回り込んでしまう可能性をさらに低減できる。
【００３２】
挿入部２２等の押圧部材によって金属板１１を押し付ける位置は、金型凹部１１１の周縁内方であってもよい。このような位置で押し付けることで、金属板１１が金型凹部１１１内に曲がり込むようにして押し込むことができ、樹脂が金属板１１の裏面に回り込んでしまう可能性をさらに低減できる点で有益である。
【００３３】
挿入部２２等の押圧部材によって金属板１１を押し付ける位置は、断続的に配置された複数箇所であってもよいし、連続的な箇所であってもよい。このような態様を採用することで、金属板１１をより確実に裏面側金型１１０に押し付けることができ、樹脂が金属板１１の裏面に回り込んでしまう可能性をさらに低減できる。
【００３４】
また、挿入部２２等の押圧部材によって金属板１１を押し付ける箇所が複数ある場合には、当該箇所が均等な間隔で配置されてもよいし、線対称又は点対称に配置されてもよい。このような態様を採用することで、金属板１１をよりバランスよく裏面側金型１１０に押し付けることができ、樹脂が金属板１１の裏面に回り込んでしまう可能性をさらに低減できる。
【００３５】
なお、封止部２０が平面で見たときに略矩形となる場合には、各辺に対応して挿入部２２が設けられてもよいし、対向する一対の辺に挿入部２２が設けられてもよい。封止部２０が平面で見たときに略長方形となる場合には、一対の短辺に挿入部２２が設けられてもよいし、一対の長辺に挿入部２２が設けられてもよい。なお、「平面で見たときに略矩形」とは、平面で見たときに対向する辺が平行になっている態様を意味し、平面図において角部が丸まっている態様も含まれている。「平面で見たときに略長方形」とは、平面で見たときに対向する辺が平行になり、かつ短辺と長辺が存在している態様を意味し、平面図において角部が丸まっている態様も含まれている。製品の大きさや形状に応じて挿入部２２の位置を適宜変更することで、金属板１１のうち挿入部２２によって押圧される箇所を適宜変更することができ、樹脂が金属板１１の裏面に回り込んでしまう可能性をより低減することができる。例えば、封止部２０が平面で見たときに略長方形となる場合において、一対の短辺に挿入部２２が設けられる態様を採用したときには（図１の右側面周縁部及び左側面周縁部を押圧する態様を採用したときには）、長さが長く金属板１１の反りの影響等が出やすい箇所で金属板１１を金型凹部１１１の周縁に押し付けることができる点で有益である。
【００３６】
金属板１１が、金属本体部１１ａと、金属本体部１１ａと比較して肉厚が薄くなった金属減厚部１１ｂとを有する態様を採用している場合には、樹脂流入工程において、金属減厚部１１ｂは金型凹部１１１の外方に位置し、金属本体部１１ａが金型凹部１１１の縁に当接した状態で、金属板１１が裏面側金型１１０に押圧されてもよい。このように厚みの厚い金属本体部１１ａを金型凹部１１１の縁に押し付けることで、樹脂が金属板１１の裏面に回り込んでしまう可能性をさらに低減できる。
【００３７】
この点について説明する。金属板１１は、断面が略矩形状の金属本体部１１ａと、周縁に向かうにつれて厚みが薄くなっていく金属減厚部１１ｂとを有していることがある。このような金属板１１を利用した場合において、金属減厚部１１ｂを金型凹部１１１の縁に押し付けた場合には、金属減厚部１１ｂの形状が均一なものとなっていないことから、金属減厚部１１ｂと金型凹部１１１との間に不可避的に形成される間隙から樹脂が金属板１１の裏面側に回り込んでしまうことがある。この点、本態様のように、断面が略矩形状となっており均一な形状に近い金属本体部１１ａを金型凹部１１１の縁に押し付けることで、樹脂が金属板１１の裏面側に回り込んでしまう可能性をさらに低減できる。
【００３８】
前述したように、金型１００内に樹脂が例えばポッティングによって流し込まれると、所定の温度で樹脂を硬化させて封止部２０を形成する（硬化工程）。
【００３９】
次に、金型１００を取り外すことで、封止部２０の側面全体及びおもて面全体が外部に露出したケースレスの電子装置が製造されることになる。
【００４０】
上述した実施の形態の記載及び図面の開示は、請求の範囲に記載された発明を説明するための一例に過ぎず、上述した実施の形態の記載又は図面の開示によって請求の範囲に記載された発明が限定されることはない。また、出願当初の請求項の記載はあくまでも一例であり、明細書、図面等の記載に基づき、請求項の記載を適宜変更することもできる。
【００４１】
１０        基板
１１        金属板
１１ａ      金属本体部
１１ｂ      金属減厚部
２０        封止部
２２        挿入部
７０        端子
８０        電子素子
９０        締結部材
１１０      裏面側金型
１１１      金型凹部
１２０      おもて面側金型
１４０      弾性体
【図１】
2018122894.tif 000003
【図２】
2018122894.tif 000004
【図３】
2018122894.tif 000005
【図４】
2018122894.tif 000006
【図５】
2018122894.tif 000007
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
金型凹部を有する裏面側金型に、裏面側に金属板を有する基板を載置する工程と、
締結部材を挿入するための挿入部を前記基板のおもて面であって前記金型凹部の周縁内方に位置する位置に載置する工程と、
前記基板を覆うようにして、前記裏面側金型におもて面側金型を載置する工程と、
前記基板を前記裏面側金型に押圧しながら、前記おもて面金型と前記裏面側金型との間にポッティングによって樹脂を流し込む工程と、
を備え、
前記樹脂を流し込む工程において、前記挿入部の頂部が押し付けられることで、前記金属板が前記裏面側金型に対して押し付けられ、前記金属板の前記挿入部よりも周縁側が前記金型凹部の縁に当接した状態で、前記基板が前記裏面側金型に押圧されることを特徴とする電子装置の製造方法。
【請求項２】
前記金属板は、金属本体部と、前記金属本体部の周縁に設けられ、前記金属本体部と比較して肉厚が薄くなった金属減厚部とを有し、
前記樹脂を流し込む工程において、前記金属減厚部は前記金型凹部の外方に位置し、前記本体部が前記金型凹部の縁に当接した状態で、前記金属板が前記裏面側金型に押圧されることを特徴とする請求項１に記載の電子装置の製造方法。
【請求項３】
前記挿入部の頂部に弾性体が位置づけられ、
前記弾性体を前記挿入部の頂部に押し付けることで、前記金属板が前記裏面側金型に対して押し付けられることを特徴とする請求項１に記載の電子装置の製造方法。
【請求項４】
前記裏面側金型に載置される前記基板には電子素子が設けられ、前記電子素子には端子が接続されていることを特徴とする請求項１に記載の電子装置の製造方法。
【請求項５】
裏面側に金属板を有する基板と、
前記基板に設けられた電子素子と、
前記電子素子を封入する樹脂材料からなる封止部と、
前記封止部のおもて面から外部に突出している端子と、
を備え、
前記封止部は締結部材を挿入するための挿入部を有し、
前記金属板の裏面は前記封止部から外部に露出し、
前記金属板の裏面において、前記挿入部よりも周縁側であって、前記金属板の最外周縁から１ｍｍ以下の領域に押圧痕が入っていることを特徴とする電子装置。
【請求項６】
前記封止部の側面全体、おもて面全体及び裏面側における前記金属板の周縁全体が外部に露出していることを特徴とする請求項５に記載の電子装置。
【請求項７】
前記挿入部は前記金型凹部の周縁内方に位置づけられていることを特徴とする請求項１乃至４のいずれかに記載の電子装置の製造方法。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
金型凹部を有する裏面側金型に、裏面側に金属板を有する基板を載置する工程と、
締結部材を挿入するための挿入部を前記基板のおもて面であって前記金型凹部の周縁内方に位置する位置に載置する工程と、
前記基板を覆うようにして、前記裏面側金型におもて面側金型を載置する工程と、
前記基板を前記裏面側金型に押圧しながら、前記おもて面側金型と前記裏面側金型との間にポッティングによって樹脂を流し込む工程と、を備え、
前記樹脂を流し込む工程において、前記挿入部の頂部が押し付けられることで、前記金属板が前記裏面側金型に対して押し付けられ、前記金属板の前記挿入部よりも周縁側が前記金型凹部の縁に当接した状態で、前記基板が前記裏面側金型に押圧されることを特徴とする電子装置の製造方法。
【請求項２】
前記金属板は、金属本体部と、前記金属本体部の周縁に設けられ、前記金属本体部と比較して肉厚が薄くなった金属減厚部とを有し、
前記樹脂を流し込む工程において、前記金属減厚部は前記金型凹部の外方に位置し、前記本体部が前記金型凹部の縁に当接した状態で、前記金属板が前記裏面側金型に押圧されることを特徴とする請求項１に記載の電子装置の製造方法。
【請求項３】
前記挿入部の頂部に弾性体が位置づけられ、
前記弾性体を前記挿入部の頂部に押し付けることで、前記金属板が前記裏面側金型に対して押し付けられることを特徴とする請求項１に記載の電子装置の製造方法。
【請求項４】
前記裏面側金型に載置される前記基板には電子素子が設けられ、前記電子素子には端子が接続されていることを特徴とする請求項１に記載の電子装置の製造方法。
【請求項５】
裏面側に金属板を有する基板と、
前記基板に設けられた電子素子と、
前記電子素子を封入する樹脂材料からなる封止部と、
前記封止部のおもて面から外部に突出している端子と、
を備え、
前記封止部は締結部材を挿入するための挿入部を有し、
前記金属板の裏面は前記封止部から外部に露出し、
前記金属板の裏面において、前記挿入部よりも周縁側であって、前記金属板の最外周縁から１ｍｍ以下の領域に押圧痕が入っていることを特徴とする電子装置。
【請求項６】
前記封止部の側面全体、おもて面全体及び裏面側における前記金属板の周縁全体が外部に露出していることを特徴とする請求項５に記載の電子装置。
【請求項７】
前記挿入部は前記金型凹部の周縁内方に位置づけられていることを特徴とする請求項１乃至４のいずれかに記載の電子装置の製造方法。
【国際調査報告】
2018122894.tif 000008
2018122894.tif 000009
2018122894.tif 000010
2018122894.tif 000011